(57)【特許請求の範囲】
【請求項１】
物体側から順に、正の屈折力を有する対物レンズ系と、該対物レンズ系によって結像される像の上下左右を反転させる像反転光学系と、正の屈折力を有する接眼レンズ系とが配置されてなる実像式変倍ファインダーにおいて、
前記対物レンズ系は、前記物体側から順に配置された、両凹単レンズからなる第１群と、物体側に凸面を向けた正の単レンズからなる第２群と、像側に凸面を向けた正の単メニスカスレンズからなる第３群とにより構成され、
変倍の際、上記対物レンズ系の第１群が固定され、第２，第３群が可動されるようにし、
以下に示す条件式を満足するようにしたことを特徴とする実像式変倍ファインダー。
｜ＨＦ｜＜ＨＢ
０．３＜ｆW’／ｆ3＜０．５
但し、ＨＦは前記第２群の前側主点位置、ＨＢは前記第３群の後側主点位置、ｆW’は前記対物レンズ系の広角端における焦点距離、ｆ3は前記第３群の焦点距離を示している。
【請求項２】
上記対物レンズ系の第２群は両凸レンズにより構成されていることを特徴とする請求項１に記載の実像式変倍ファインダー。
【請求項３】
上記対物レンズ系の第１群には非球面レンズが用いられていることを特徴とする請求項１又は２に記載の実像式変倍ファインダー。
【発明の詳細な説明】
【０００１】
【発明の属する技術分野】
本発明は、レンズシャッターカメラやスチルビデオカメラ等に用いられる実像式変倍ファインダーに関する。
【０００２】
【従来の技術】
一般に、レンズシャッター式のカメラのように、撮像光学系とは別体に構成されたファインダー光学系が用いられる場合、虚像式のファインダーがよく用いられる。しかし、虚像式ファインダーでは、変倍比が大きくなるように構成すると前玉径が大きくなってしまううえ、このタイプのファインダー特有の視野の見えが不明瞭であるといった問題が残る。
これに対して、実像式ファインダーは、入射瞳をその前方に配置することができるため、前玉径を小さくすることができる。又、対物レンズ系によって結像された像を接眼レンズ系を介して観察するため、前記虚像式ファインダーの有する欠点は概ね解消され、視野枠の見えのよいファインダーが実現できる。
【０００３】
現在、変倍機能を備えたレンズシャッター式カメラの多くは、この実像式ファインダーを採用している。しかしながら、２倍を越える変倍比を備えた広い画角のファインダーを実現しようとすると、３群ズーム構成にしないと難しい。このようなタイプのファインダーは種々あるが、特に、特開平５−３４５９５号，特開平６−１６０７０９号及び特開平６−２１４１５９号の各公報では、対物レンズ系が負正正の３群ズームで構成されたものが開示されている。
【０００４】
【発明が解決しようとする課題】
このうち、前記特開平５−３４５９５号公報に開示されているファインダーは、広角端での入射半画角が３０°以上あり、変倍比も２．５倍程度であって、広画角，高変倍比のものである。特に、このファインダーの対物レンズ系は、物体側に凸面を向けた正のメニスカスレンズからなる第２群、両凸レンズからなる第３群を含んでいる。しかし、このような構成では、広角端から望遠端への変倍の際、広角端付近での第２群の移動量が大きくなる。このため、レンズを移動させる駆動機構の制約が大きくなってしまい、変倍を撮像レンズと連動させて行うことは困難となる。又、瞳径も４mmと小さく、ファインダーを覗き難いという欠点もある。
【０００５】
又、前記特開平６−１６０７０９号公報に開示されているファインダーでは、対物レンズ系の第２群のみを移動させるようにしてズーム機構が簡略化されている。しかしながら、変倍比が２倍に満たないため実用上十分とは云い難い。
更に、特開平６−２１４１５９号公報に開示されているファインダーは、変倍比は２．５倍を越えるものであるが、広角端での入射半画角が２５°程度と小さくなっている。尚、同公報では広角端での入射半画角が３０°以上のファインダーも開示されてはいるが、このファインターの変倍比は２倍に満たないものであり、実用上不満が残る。
【０００６】
そこで、本発明は上記従来技術の有する問題点に鑑みなされたものであり、その目的は、広画角，高変倍比でありながらも、小型，高性能な実像変倍式ファインダーを提供することにある。
【０００７】
【課題を解決するための手段】
上記目的を達成するため、本発明の実像式変倍ファインダーは、次のような特徴を備えている。
【０００９】
請求項１に記載の実像式変倍ファインダーは、物体側から順に、正の屈折力を有する対物レンズ系と、該対物レンズ系によって結像される像の上下左右を反転させる像反転光学系と、正の屈折力を有する接眼レンズ系とが配置されてなる実像式変倍ファインダーにおいて、前記対物レンズ系が、前記物体側から順に配置された、両凹単レンズからなる第１群と、物体側に凸面を向けた正の単レンズからなる第２群と、像側に凸面を向けた正の単メニスカスレンズからなる第３群とにより構成され、変倍の際、上記対物レンズ系の第１群が固定され、第２，第３群が可動されるようにし、以下に示す条件式を満足するようにしたことを特徴とするものである。
｜ＨＦ｜＜ＨＢ
０．３＜ｆW’／ｆ3＜０．５
但し、ＨＦは前記第２群の前側主点位置、ＨＢは前記第３群の後側主点位置、ｆW’は前記対物レンズ系の広角端における焦点距離、ｆ3は前記第３群の焦点距離を示している。
【００１０】
又、請求項１に記載の実像式変倍ファインダーにおいて、上記対物レンズ系の第２群は両凸レンズにより構成されていることを特徴とするものである。
又、請求項１または２に記載の実像式変倍ファインダーにおいて、上記対物レンズ系の第１群には非球面レンズが用いられていることを特徴とするものである。
【００１１】
【発明の実施の形態】
本発明による実像式変倍ファインダーは、物体側から順に、正の屈折力を有する対物レンズ系と、この対物レンズによって結像される像の上下左右を反転させる像反転光学系と、正の屈折力を有する接眼レンズ系とが配置されて構成される。特に、前記対物レンズ系は、物体側から順に配置された、両凹の負レンズからなる第１群と、正レンズからなる第２群と、像側に凸面を向けた正のメニスカスレンズからなる第３群とにより構成されている。
【００１２】
本発明の実像式変倍ファインダーでは、基本的には、対物レンズ系の第１群を固定し第２群及び第３群を光軸に沿う方向に移動させて変倍を行う。勿論、対物レンズ系の全群を移動させて変倍を行うことも可能である。
ところで、第２群の移動量を決定する要件は第３群の形状によるところが大きい。そこで、前述のように第３群を像側に凸面を向けた正メニスカスレンズで構成すると、第３群の前側主点の位置を第２群から離すことができる。
この結果、従来の物体側から順に負正正の各レンズ群が配置されて構成されている対物レンズ系を有するズーム式ファインダーに比べて、第２群の広角端付近での移動量を少なくすることができ、広角端から望遠端への変倍過程において、第２群を直線に近い軌跡で移動させることが可能になる。加えて、変倍の際に各群を移動させるための駆動機構が複雑にならなくて済む。
【００１３】
又、このとき、第２群は、物体側に凸面を向けた正レンズで構成することが好ましい。つまり、第２群が正メニスカスレンズ又は両凸レンズであれば、第３群の形状と共に第２群の移動量を制御し易くなる。又、第２群に両凸レンズを採用すれば、第３群の形状にある程度の自由度が与えられるので、より一層好ましい。
更に、第１群を両凹レンズで構成することにより、特に広角化に伴う軸外収差を制御することが容易になり、又ズーミング中に第１群を固定させることもできるため、カメラ全体の構成を簡略化することが可能になる。
【００１４】
又、本発明の別の実像式変倍ファインダーでは、ファインダーの全長を短縮するために、対物レンズ系の各群の屈折力と主点位置とを良好に制御して第２群の移動量が少なくなるようにしている。
しかし、このためには、対物レンズ系の第２群の前側主点位置をＨＦ、第３の後側主点位置をＨＢとしたとき、以下の条件式を満足していることが必要となる。
｜ＨＦ｜＜ＨＢ                                    ・・・・（１）
ここで、本発明において、前側主点位置というのは、図１８に示すように、レンズの前面から前側主点までの距離を示している。又、同様に、後側主点位置というのはレンズの後面から後側主点までの距離のことを示している。
【００１５】
更に、本発明の実像式変倍ファインダーは、対物レンズ系の広角端から中間域への変倍過程における任意の点を基準にした場合の焦点距離をｆW 、第３群の焦点距離をｆ3 としたとき、以下の条件式を満足していることが好ましい。
０．２＜ｆW ／ｆ3 ＜０．８                        ・・・・（２）
【００１６】
条件式（１）は、第２群と第３群の主点位置に関するものであり、これら各群の主点間隔を制御することにより各群の間隔を決定している。ＨＦ及びＨＢの値が条件式（１）を満足する範囲内にあれば、第３群の後側主点が第３群の後方に位置するため第２群と第３群の各主点の位置を離すことができる。従って、広角端付近で第２群と第３群とがある程度の間隔を有するように構成しなくとも、広角の対物レンズ系を構成することができる。
【００１７】
ところで、ＨＦ及びＨＢの値が条件式（１）を満足する範囲から逸脱すると第２群と第３群の各主点間隔が狭くなるため、広角端付近でそれらの主点間隔を広くして、広画角を実現しようとすると、第２群を大きく移動させなければならなくなる。しかしながら、条件式（１）を満足すれば、ズーム駆動に対する制約がなくなり、ズーミングの際に撮影レンズに併せて対物レンズ系の各群を移動させることが可能となるため、ズーム機構の簡略化が図れる。
【００１８】
又、条件式（２）は第３群の屈折力に関するものである。ｆW ／ｆ3 の値が条件式（２）で示された上限を越えると、第３群の屈折力が小さくなってファインダーの全長が長くなるため、カメラのコンパクト性が損なわれる。一方、ｆW ／ｆ3 の値が条件式（２）で示された下限を下回ると、第３群の屈折力が強くなりすぎ、特に望遠端での球面収差が著しく悪化する。
【００１９】
尚、条件式（２）を次式のように限定すると、より大きな効果が得られる。
０．３＜ｆW ’／ｆ3 ＜０．５                      ・・・・（３）
但し、ｆW ’は対物レンズ系の広角端における焦点距離を示している。
【００２０】
更に、本発明の実像式変倍ファインダーは、広角端において広い画角を達成している。このため、広角側で負の歪曲収差が発生し易い。そこで、第１群に非球面レンズを用いてこの負の歪曲収差を補正している。加えて、非球面レンズは、広角側でのコマ収差も同時に補正することができる。よって、かかる非球面レンズを第１群に用いることにより、高性能なファインダーを実現することができる。
又、第３群にも非球面レンズを用いると、望遠端でのコマ収差を良好に補正することが可能になる。更に、第３群の両面を非球面レンズにすればその効果はより大きなものとなり、特に、本発明の実像式変倍ファインダーのように、変倍比が大きなものであっても収差を良好に補正できる。
尚、ここで、対物レンズ系の各群を単レンズで構成すれば、対物レンズ系の全長を短縮するのに有利となる。又、レンズ枚数を増やすとコストアップの要因ともなるため、対物レンズ系の各群は可能な限り単レンズで構成されることが好ましい。
【００２１】
又、本発明の実像式変倍ファインダーの対物レンズ系は、変倍の際に、主に第２群で変倍し第３群で視度補正を行っている。更に、可動群に第１群も加えると、広画角をより実現し易くなる。
又、本発明の実像式変倍ファインダーは、瞳径を５mmとしているため、ファインダーを覗き難いといった不具合もなく、特に、容易に写真撮影ができることが要求されるコンパクトカメラに用いるのに最適である。
【００２２】
以下、図示した実施例に基づき本発明を詳細に説明する。
【００２３】
第１実施例
図１は、本実施例にかかる実像式変倍ファインダーの構成を示す光軸に沿う断面図であり、（ａ）は広角端、（ｂ）は中間倍率、（ｃ）は望遠端の状態を示す図である。
本実施例のファインダーは、図示しない物体側から順に、正の屈折力を有する対物レンズ系１，像反転のためのプリズム２，３及び正の屈折力を有する接眼レンズ系４が配置されて構成される。更に、対物レンズ系１は、前記物体側から順に、負の屈折力を有し両凹レンズからなる第１レンズ群１ａ，前記物体側に凸面を向けた正のメニスカスレンズからなる第２レンズ群１ｂ，及び像側に凸面を向けた正のメニスカスレンズからなる第３レンズ群１ｃが配置されて構成されている。これら各レンズ群は全て単レンズで構成されている。又、対物レンズ系１による物体像は像反転のためのプリズム３の入射面３ａの近傍に結像される。プリズム３の入射面３ａはフィールドレンズの作用を備えている。
【００２４】
更に、本実施例のファインダーにおいて、変倍は第１レンズ群１ａ，第２レンズ群１ｂ及び第３レンズ群１ｃを夫々光軸に沿う方向に移動させることによって行われる。又、第１レンズ群１ａの物体側面，第２レンズ群１ｂの物体側面，第３レンズ群１ｃの両面，及び接眼レンズ系４の物体側面には何れも非球面を採用している。
【００２５】
以下、本実施例にかかる実像式変倍ファインダー及びこれを構成しているレンズ等光学部材の数値データを示す。
倍率          0.30倍（広角端）〜0.48倍（中間）〜0.73倍（望遠端)
半画角（ω）  33.53 °（広角端）〜20.77 °（中間）〜13.53 °（望遠端)
瞳径φ        5mm
【００２６】
0003709252.tif 000002
【００２７】
0003709252.tif 000003
【００２８】
0003709252.tif 000004
【００２９】
円錐係数及び非球面係数
第１面
κ＝0
Ａ4 ＝6.72145 ×10-4，    Ａ6 ＝2.36280 ×10-5，
Ａ8 ＝-2.32149×10-6，    Ａ10＝5.83859 ×10-8
第３面
κ＝0
Ａ4 ＝-5.20754×10-4，  Ａ6 ＝-5.86045×10-5，
Ａ8 ＝7.33729 ×10-6，  Ａ10＝-4.78579×10-7
【００３０】
第５面
κ＝0
Ａ4 ＝-3.57807×10-3，  Ａ6 ＝-3.27918×10-5，
Ａ8 ＝-1.51508×10-5，  Ａ10＝1.85175 ×10-6
第６面
κ＝0
Ａ4 ＝-9.45186×10-4，  Ａ6 ＝1.64627 ×10-5，
Ａ8 ＝-3.33427×10-6，  Ａ10＝4.42304 ×10-7
第１１面
κ＝0
Ａ4 ＝-1.19360×10-4，  Ａ6 ＝1.90290 ×10-6，
Ａ8 ＝-6.89420×10-8，  Ａ10＝6.74820 ×10-10 
【００３１】
又、本実施例の実像式変倍ファインダーにおける上記条件式（１），（２），（３）の各定数値は次の通りである。
ＨＦ＝-0.10,  ＨＢ＝0.96
ｆW ’／ｆ3 ＝0.42 (ｆW ’＝6.31，ｆ3 ＝15.11)
【００３２】
又、図２，図３及び図４は夫々本実施例の実像式変倍ファインダーの広角端，中間倍率，望遠端における収差曲線図であり、何れも（ａ）は球面収差、（ｂ）は非点収差、（ｃ）は歪曲収差を示している。
【００３３】
第２実施例
図５は、本実施例にかかる実像式変倍ファインダーの構成を示す光軸に沿う断面図であり、（ａ）は広角端、（ｂ）は中間倍率、（ｃ）は望遠端の状態を示した図である。
本実施例のファインダーは、図示しない物体側から順に、正の屈折力を有する対物レンズ系５，像反転のためのプリズム６，７及び正の屈折力を有する接眼レンズ系８が配置されて構成される。更に、対物レンズ系５は、前記物体側から順に、負の屈折力を有し両凹レンズからなる第１レンズ群５ａ，正の屈折力を有し両凸レンズからなる第２レンズ群５ｂ，及び像側に凸面を向けた正のメニスカスレンズからなる第３レンズ群５ｃが配置されて構成されている。又、これら各レンズ群は全て単レンズで構成されている。又、対物レンズ系５による物体像は像反転のためのプリズム７の入射面７ａの近傍に結像される。プリズム７の入射面７ａはフィールドレンズの作用を備えている。
【００３４】
更に、本実施例のファインダーにおいて、変倍は第２レンズ群５ｂ及び第３レンズ群５ｃを夫々光軸に沿う方向に移動させることによって行われる。又、第１レンズ群５ａの物体側面，第２レンズ群５ｂの物体側面，第３レンズ群５ｃの両面，及び接眼レンズ系８の物体側面には何れも非球面を採用している。
【００３５】
以下、本実施例にかかる実像式変倍ファインダー及びこれを構成しているレンズ等光学部材の数値データを示す。
倍率          0.29倍（広角端）〜0.49倍（中間）〜0.70倍（望遠端)
半画角（ω）  33.47 °（広角端）〜19.58 °（中間）〜13.54 °（望遠端)
瞳径φ        5mm
【００３６】
0003709252.tif 000005
【００３７】
0003709252.tif 000006
【００３８】
0003709252.tif 000007
【００３９】円錐係数及び非球面係数
第１面
κ＝0
Ａ4 ＝1.23606 ×10-3，    Ａ6 ＝-9.14606×10-5，
Ａ8 ＝4.37143 ×10-6，    Ａ10＝-8.20120×10-8
第３面
κ＝0
Ａ4 ＝-6.23293×10-4，  Ａ6 ＝-3.99039×10-6，
Ａ8 ＝6.61955 ×10-6，  Ａ10＝-5.02208×10-7
【００４０】
第５面
κ＝0
Ａ4 ＝-3.25812×10-3，  Ａ6 ＝-7.10093×10-6，
Ａ8 ＝-8.58985×10-6，  Ａ10＝1.38858 ×10-7
第６面
κ＝0
Ａ4 ＝-4.56725×10-4，  Ａ6 ＝1.92190 ×10-5，
Ａ8 ＝5.98359 ×10-7，  Ａ10＝-7.09749×10-8
第１１面
κ＝0
Ａ4 ＝-1.19360×10-4，  Ａ6 ＝1.90290 ×10-6，
Ａ8 ＝-6.89420×10-8，  Ａ10＝6.74820 ×10-10 
【００４１】
又、本実施例の実像式変倍ファインダーにおける上記条件式（１），（２），（３）の各定数値は次の通りである。
ＨＦ＝0.36,   ＨＢ＝2.14
ｆW ’／ｆ3 ＝0.36 (ｆW ’＝6.16，ｆ3 ＝17.13)
【００４２】
又、図６，図７及び図８は夫々本実施例の実像式変倍ファインダーの広角端，中間倍率，望遠端における収差曲線図であり、何れも（ａ）は球面収差、（ｂ）は非点収差、（ｃ）は歪曲収差を示している。
【００４３】
第３実施例
図９は、本実施例にかかる実像式変倍ファインダーの構成を示す光軸に沿う断面図であり、（ａ）は広角端、（ｂ）は中間倍率、（ｃ）は望遠端の状態を示す図である。
本実施例のファインダーは、図示しない物体側から順に、正の屈折力を有する対物レンズ系９，像反転のためのプリズム１０，１１及び正の屈折力を有する接眼レンズ系１２が配置されて構成される。更に、対物レンズ系９は、前記物体側から順に、負の屈折力を有し両凹レンズからなる第１レンズ群９ａ，正の屈折力を有し両凸レンズからなる第２レンズ群９ｂ，及び像側に凸面を向けた正のメニスカスレンズからなる第３レンズ群９ｃとが配置されて構成されている。これら各レンズ群は全て単レンズで構成されている。又、対物レンズ系９による物体像は像反転のためのプリズム１１の入射面１１ａの近傍に結像される。プリズム１１の入射面１１ａはフィールドレンズの作用を備えている。
【００４４】
更に、本実施例のファインダーにおいて、変倍は第２レンズ群９ｂ及び第３レンズ群９ｃを夫々光軸に沿う方向に移動させることによって行われる。又、第１レンズ群９ａの物体側面，第２レンズ群９ｂの物体側面，第３レンズ群９ｃの両面，及び接眼レンズ系１２の物体側面には何れも非球面を採用している。
【００４５】
以下、本実施例にかかる実像式変倍ファインダー及びこれを構成しているレンズ等光学部材の数値データを示す。
倍率          0.30倍（広角端）〜0.48倍（中間）〜0.73倍（望遠端)
半画角（ω）  33.24 °（広角端）〜20.26 °（中間）〜13.38 °（望遠端)
瞳径φ        5mm
【００４６】
0003709252.tif 000008
【００４７】
0003709252.tif 000009
【００４８】
0003709252.tif 000010
【００４９】
円錐係数及び非球面係数
第１面
κ＝0
Ａ4 ＝9.74050 ×10-4，    Ａ6 ＝-4.98290×10-5，
Ａ8 ＝1.92789 ×10-6，    Ａ10＝-2.87610×10-8
第３面
κ＝0
Ａ4 ＝-5.91214×10-4，  Ａ6 ＝-2.44674×10-5，
Ａ8 ＝5.04648 ×10-6，  Ａ10＝-2.66289×10-7
【００５０】
第５面
κ＝0
Ａ4 ＝-3.21693×10-3，  Ａ6 ＝1.06621 ×10-5，
Ａ8 ＝-3.53523×10-6，  Ａ10＝-2.40878×10-7
第６面
κ＝0
Ａ4 ＝-1.01739×10-3，  Ａ6 ＝2.88015 ×10-5，
Ａ8 ＝-2.00661×10-7，  Ａ10＝-1.56861×10-7
第１１面
κ＝0
Ａ4 ＝-1.19360×10-4，  Ａ6 ＝1.90290 ×10-6，
Ａ8 ＝-6.89420×10-8，  Ａ10＝6.74820 ×10-10 
【００５１】
又、本実施例の実像式変倍ファインダーにおける上記条件式（１），（２），（３）の各定数値は次の通りである。
ＨＦ＝0.13，  ＨＢ＝1.02
ｆW ’／ｆ3 ＝0.39 (ｆW ’＝6.35，ｆ3 ＝16.21)
【００５２】
又、図１０，図１１及び図１２は夫々本実施例の実像式変倍ファインダーの広角端，中間倍率，望遠端における収差曲線図であり、何れも（ａ）は球面収差、（ｂ）は非点収差、（ｃ）は歪曲収差を示している。
【００５３】
第４実施例
図１３は、本実施例にかかる実像式変倍ファインダーの構成を示す光軸に沿う断面図であり、（ａ）は広角端、（ｂ）は中間倍率、（ｃ）は望遠端の状態を示す図である。
本実施例のファインダーは、図示しない物体側から順に、正の屈折力を有する対物レンズ系１３，像反転のためのプリズム１４，１５及び正の屈折力を有する接眼レンズ系１６が配置されて構成される。更に、対物レンズ系１３は、前記物体側から順に、負の屈折力を有し両凹レンズからなる第１レンズ群１３ａ，正の屈折力を有し両凸レンズからなる第２レンズ群１３ｂ，及び像側に凸面を向けた正のメニスカスレンズからなる第３レンズ群１３ｃとが配置されて構成されている。これら各レンズ群は全て単レンズで構成されている。又、対物レンズ系１３による物体像は像反転のためのプリズム１５の入射面１５ａの近傍に結像される。プリズム１５の入射面１５ａはフィールドレンズの作用を備えている。
【００５４】
更に、本実施例のファインダーにおいて、変倍は第２レンズ群１３ｂ及び第３レンズ群１３ｃを夫々光軸に沿う方向に移動させることによって行われる。又、第１レンズ群１３ａの物体側面，第２レンズ群１３ｂの両面，第３レンズ群１３ｃの両面，及び接眼レンズ系１６の物体側面には何れも非球面を採用している。
【００５５】
以下、本実施例にかかる実像式変倍ファインダー及びこれを構成しているレンズ等光学部材の数値データを示す。
倍率          0.29倍（広角端）〜0.47倍（中間）〜0.72倍（望遠端)
半画角（ω）  33.53 °（広角端）〜20.55 °（中間）〜13.31 °（望遠端)
瞳径φ        5mm
【００５６】
0003709252.tif 000011
【００５７】
0003709252.tif 000012
【００５８】
0003709252.tif 000013
【００５９】
円錐係数及び非球面係数
第１面
κ＝0
Ａ4 ＝7.83504 ×10-4，  Ａ6 ＝-7.46906×10-6，
Ａ8 ＝-4.63678×10-7，  Ａ10＝1.84215 ×10-8
第３面
κ＝0
Ａ4 ＝-7.95554×10-4，  Ａ6 ＝-1.25771×10-5，
Ａ8 ＝2.56948 ×10-6，  Ａ10＝-2.91441×10-7
第４面
κ＝0
Ａ4 ＝-1.81018×10-4，  Ａ6 ＝4.69163 ×10-5，
Ａ8 ＝-5.23055×10-6，  Ａ10＝-1.01716×10-8
【００６０】
第５面
κ＝0
Ａ4 ＝-3.31806×10-3，  Ａ6 ＝4.02877 ×10-6，
Ａ8 ＝-1.49531×10-5，  Ａ10＝4.71839 ×10-7
第６面
κ＝0
Ａ4 ＝-8.99499×10-4，  Ａ6 ＝2.34611 ×10-5，
Ａ8 ＝-4.98694×10-6，  Ａ10＝2.44622 ×10-7
第１１面
κ＝0
Ａ4 ＝-1.19360×10-4，  Ａ6 ＝1.90290 ×10-6，
Ａ8 ＝-6.89420×10-8，  Ａ10＝6.74820 ×10-10 
【００６１】
又、本実施例の実像式変倍ファインダーにおける上記条件式（１），（２），（３）の各定数値は次の通りである。
ＨＦ＝0.01，  ＨＢ＝1.03
ｆW ’／ｆ3 ＝0.40 (ｆW ’＝6.16，ｆ3 ＝15.39)
【００６２】
又、図１４，図１５及び図１６は夫々本実施例の実像式変倍ファインダーの広角端，中間倍率，望遠端における収差曲線図であり、何れも（ａ）は球面収差、（ｂ）は非点収差、（ｃ）は歪曲収差を示している。
【００６３】
尚、上記各実施例中に示された数値データにおいて、Ｒ1 ，Ｒ2 ，・・・・は各レンズ又はプリズム面の曲率半径、Ｄ1 ，Ｄ2 ，・・・・は各レンズ又はプリズムの肉厚又はそれらの面間隔、Ｎｄ1 ，Ｎｄ2 ，・・・・は各レンズのｄ線における屈折率、νｄ1 ，νｄ2 ，・・・・は各レンズのアッベ数を示している。又、上記実施例中の各非球面形状は、光軸上の光の進行方向をＺ軸、光軸と直交する方向をＹ軸にとり、円錐係数をκ、非球面係数をＡ4 ，Ａ6 ，Ａ8 ，Ａ10としたとき、以下に示す式により与えられる。
0003709252.tif 000014
【００６４】
又、上記各実施例中に示された像反転のためのプリズムは、図１７（ａ）に示すように、ダハプリズム１８とペンタプリズム１７とからなるもの、又は、同図（ｂ）に示すように、２つのプリズム１９ａ，１９ｂにより構成されたものが用いられる。
【００６５】
以上説明したように、本発明による実像式変倍ファインダーは、特許請求の範囲に記載された特徴と併せ、以下の（１）〜（５）に示すような特徴も備えている。
【００６６】
（１）上記対物レンズ系の第２群は物体側に凸面を向けた正レンズにより構成されていることを特徴とする請求項１又は３に記載の実像式変倍ファインダー。
【００６７】
（２）上記対物レンズ系の第２群は両凸レンズにより構成されていることを特徴とする上記（１）に記載の実像式変倍ファインダー。
【００６８】
（３）変倍の際、上記対物レンズ系の第１群が固定され第２，第３群が可動されるようにしたことを特徴とする請求項３に記載の実像式変倍ファインダー。
【００６９】
（４）上記対物レンズ系の第１群には非球面レンズが用いられていることを特徴とする請求項１又は２に記載の実像式変倍ファインダー。
【００７０】
（５）上記対物レンズ系の各群は単レンズで構成されていることを特徴とする請求項１又は２に記載の実像式変倍ファインダー。
【００７１】
【発明の効果】
上述のように、本発明によれば、比較的簡易な構成で、変倍比が大きく小型で収差補正性能が優れた広画角の実像式変倍ファインダーを提供することができる。
【図面の簡単な説明】
【図１】第１実施例にかかる実像式変倍ファインダーの構成を示す光軸に沿う断面図であり、夫々（ａ）は広角端、（ｂ）は中間、（ｃ）は望遠端での状態を示す図である。
【図２】第１実施例の実像式変倍ファインダーの広角端における収差曲線図である。
【図３】第１実施例の実像式変倍ファインダーの中間倍率における収差曲線図である。
【図４】第１実施例の実像式変倍ファインダーの望遠端における収差曲線図である。
【図５】第２実施例にかかる実像式変倍ファインダーの構成を示す光軸に沿う断面図であり、夫々（ａ）は広角端、（ｂ）は中間、（ｃ）は望遠端での状態を示す図である。
【図６】第２実施例の実像式変倍ファインダーの広角端における収差曲線図である。
【図７】第２実施例の実像式変倍ファインダーの中間倍率における収差曲線図である。
【図８】第２実施例の実像式変倍ファインダーの望遠端における収差曲線図である。
【図９】第３実施例にかかる実像式変倍ファインダーの構成を示す光軸に沿う断面図であり、夫々（ａ）は広角端、（ｂ）は中間、（ｃ）は望遠端での状態を示す図である。
【図１０】第３実施例の実像式変倍ファインダーの広角端における収差曲線図である。
【図１１】第３実施例の実像式変倍ファインダーの中間倍率における収差曲線図である。
【図１２】第３実施例の実像式変倍ファインダーの望遠端における収差曲線図である。
【図１３】第４実施例にかかる実像式変倍ファインダーの構成を示す光軸に沿う断面図であり、夫々（ａ）は広角端、（ｂ）は中間、（ｃ）は望遠端での状態を示す図である。
【図１４】第４実施例の実像式変倍ファインダーの広角端における収差曲線図である。
【図１５】第４実施例の実像式変倍ファインダーの中間倍率における収差曲線図である。
【図１６】第４実施例の実像式変倍ファインダーの望遠端における収差曲線図である。
【図１７】（ａ），（ｂ）は本発明の実像式変倍ファインダーに用いられる像反転のためのプリズムの構成を示す図である。
【図１８】前側主点位置及び後側主点位置を説明するための図である。
【符号の説明】
１，５，９，１３            対物レンズ系
１ａ，５ａ，９ａ，１３ａ    第１レンズ群
１ｂ，５ｂ，９ｂ，１３ｂ    第２レンズ群
１ｃ，５ｃ，９ｃ，１３ｃ    第３レンズ群
２，３，６，７，１０，１１，１４，１５，１９ａ，１９ｂ  プリズム
３ａ，７ａ，１１ａ，１５ａ  入射面
４，８，１２，１６          接眼レンズ系
１７                        ペンタプリズム
１８                        ダハプリズム
【図１】
0003709252.tif 000015
【図２】
0003709252.tif 000016
【図３】
0003709252.tif 000017
【図４】
0003709252.tif 000018
【図５】
0003709252.tif 000019
【図６】
0003709252.tif 000020
【図７】
0003709252.tif 000021
【図８】
0003709252.tif 000022
【図９】
0003709252.tif 000023
【図１０】
0003709252.tif 000024
【図１１】
0003709252.tif 000025
【図１２】
0003709252.tif 000026
【図１３】
0003709252.tif 000027
【図１４】
0003709252.tif 000028
【図１５】
0003709252.tif 000029
【図１６】
0003709252.tif 000030
【図１７】
0003709252.tif 000031
【図１８】
0003709252.tif 000032